(57)【特許請求の範囲】
【請求項１】
着火操作部及びノズルを上部に露出した状態でライターを筒状のケース内に収容すべきライターケースにして、ケース外側の胴箇所にケースを胴回り方向に抱持すべき縦割り筒状の風防部材を上下動自在に外嵌することにより、上昇させた風防部材によりノズルからの炎の周囲の一部を覆うライターケースにおいて、復元性を有する素材により構成した風防部材（１１）の上昇位置及び下降位置において風防部材（１１）内周に設けた凸部（１４）が係合可能な凹部（６）及び（７）をケース外側の上下二カ所に設けることにより、風防部材の上昇位置及び下降位置における仮固定手段とすると共に、上記の上下二カ所の凹部（６）及び（７）を風防部材（１１）の凸部（１４）がガイド摺動可能な浅溝（８）により連結したことを特徴とするライターケース。
【請求項２】
風防部材（１１）を不燃性素材により構成すると共に、上昇時に炎を覆う頂部箇所に断熱部材（１５）を設けた請求項１記載のライターケース。
【発明の詳細な説明】
【０００１】
【発明の属する技術分野】
この発明は使い捨てライターを収容するためのライターケースに関し、より詳細には炎を外風から遮る風防機能を有するライターケースに関する。
【０００２】
【従来の技術】
簡易な外装からなる、所謂「使い捨てライター」と呼ばれているライターが公知である。この種のライターは最低限の外装を有するのみなので、その体裁を高めるために、着火操作部及びノズルを上部に露出した状態でライターを筒状のケース内に収容するライターケースが従来提案されていた。
【０００３】
一方、最低限の外装しか有しない使い捨てライターにおいては、通常のライターのように風防を兼ねる蓋を有しないので、風が強い屋外での使用に支障を来す問題があった。そこで、この問題を解消するためにライターケースに風防機能を持たせた発明が提案されていた（実公平１−４１０７号）。
【０００４】
上記の従来技術のライターケースにおいては、筒状のケース内に金属製の風防部材を上下摺動自在に挿入し、ケースに風防部材の背部が露出する窓部を穿設することにより、使用者においてケースの窓部から露出した風防部材を親指の腹等により上下動する構成としていた。
【０００５】
【発明が解決しようとする課題】
上記の従来技術は使い捨てライターの体裁を高めると共に風防機能を実現する点において画期的な発明であった。しかしながら、ケースの同一の筒内にケース内に固定すべきライターと上下に摺動すべき風防部材を混在させていたので、ケース及びライターのそれぞれの仕上がりの僅かなずれによりライター外側が風防部材に干渉して摺動が円滑に行えなくなる問題があった。又、風防部材が金属製のためにライターの炎により往々にして高温に加熱され、押し上げ及び押し下げ操作時に使用者が指を火傷する危険もあった。この場合、風防部材はライター外側とケース内周との限られた隙間に上下動自在に挿入される関係上、薄手に構成されなければならず強度及び耐燃性を考慮した場合、事実上金属以外に素材の選択の余地は無かった。一方、デザイン的な観点からは使用者の操作のためにケースの胴箇所に大きく開口した窓部の存在がデザインのバリエーションに制限を与える問題があった。
【０００６】
【課題を解決するための手段】
この発明は以上の従来技術の問題点を解消することを目的として創作されたものであり、着火操作部及びノズルを上部に露出した状態でライターを筒状のケース内に収容すべきライターケースにおいて、ケース外側の胴箇所にケースを胴回り方向に抱持すべき縦割り筒状の風防部材を上下動自在に外嵌することにより、上昇させた風防部材によりノズルからの炎の周囲の一部を覆うことを特徴とする。
【０００７】
【発明の実施の形態】
以下、この発明の具体的実施例を添付図面に基づいて説明する。図１乃至図５はこの発明のライターケースの一例を示す図であり、このうちの図１は全体の分解斜視図である。
【０００８】
図中符号１はライターケースの本体をなすケースである。このケース１はこの実施例においてはプラスチックにより成形されるものであり、下方に底を設けると共に上方に開口２を設けた筒状に構成され、ライターＬは開口２からケース内に挿入・収容される（図２参照）。この場合、ライターＬの挿入限度を規制するためにケース１内周にはライターの底が当接する当接部９が設けられ、一方、ライターＬの着火操作部Ｌ１の操作を可能にするためにケースの開口２には着火操作部が露出すべき切り欠き３が設けられる。尚、この実施例においてはケース１に底を設けているが、ケースは筒状であればよく、底は必ずしも要件でないことは勿論である。
【０００９】
図中符号１１は上昇時にライターＬのノズルＬ２からの炎の周囲の一部を覆う風防部材であり、ケース１を胴回り方向に抱持すべき縦割り筒状に構成される。この風防部材１１はケース１外側に上下動自在に外嵌されるが、この際に反抱持方向への抜け止め手段が必要となる。この実施例においては、風防部材１１を復元性を有する素材により構成すると共に、胴回り方向の開口部１２を胴箇所１３より幅狭に絞り込み、これと対応してケース１外側の胴箇所にこの風防部材の内周形状に合致した断面を有する摺嵌部４を設けることによりケースに外嵌される風防部材の反抱持方向への抜け止め手段としている。風防部材１１は不燃性を有することが望ましく、これにこの実施例で要請される復元性を加味した場合、素材として金属又は耐熱性に富んだプラスチックが想定される。尚、この実施例においては摺嵌部４はケース１の胴箇所に対して膨径部として構成されているが、逆に縮径部として構成されてもよいことは勿論である。又、抜け止め手段はこれに限らず、例えば風防部材１１の内周及びケース１の胴箇所に上下方向に摺接すべき突起及び溝を設けてもよいことは勿論である。
【００１０】
上記の風防部材１１は下降時にはケース１の全長内に納まり（図４の状態）、上昇時には頂部箇所がライターＬのノズルＬ２からの炎の周囲の一部を覆うよう（図５の状態）長さ及びケース１への取り付け位置が設定される。この場合、取り付け位置は風防部材１１のケース１への下降限度位置及び上昇限度位置として設定されることになる。この実施例においては、風防部材が上下摺動すべきケースの摺嵌部４の下端に風防部材の底部が当接すべき膨径段部５を設けることにより風防部材の下降限度を規制している。又、ケース１に対する風防部材１１の上昇限度位置において係合すべき凸部１４及び凹部６を風防部材１１の内周及びケース１の外側に設けることにより上昇限度を規制している。この凸部１４及び凹部６は同時に風防部材１１が上昇位置において上下動しないようにケース１に対して仮固定する作用も果たすものであり、同様にこの実施例においては風防部材を下降位置において仮固定するために風防部材の下降限度位置においてその凸部１４が係合すべき凹部７をケースの外側に設けている。尚、上記の凹部６及び７は風防部材１１の凸部１４がガイド摺動可能な浅溝８により連結されることにより、上昇位置及び下降位置において風防部材の凸部が確実に係合するようにしている。
【００１１】
尚、この実施例においては風防部材１１は不燃性の素材により構成されることは前記した通りであるが、ここでは上昇時に炎を覆う頂部箇所の内周側に熱伝導の極端に少ない断熱部材１５を設けることにより、風防部材の熱損傷と熱伝導による使用者の火傷を防止している。
【００１２】
この実施例のライターケースにおいてはケース１の上方より風防部材１１を外嵌し、そのまま強圧降下させることにより風防部材内周の凸部１４がケース外側の凹部６に落ち込んで係合され組み立てが完了する。又、使用に際してはケース１の開口２からライターＬを挿入することによりケース内にライターを収容し、必要に応じて指の腹等により風防部材１１を上下させる。尚、この実施例においてはこの際の手がかりとするために風防部材１１の背部に突起１６を設けている。
【００１３】
【発明の効果】
以上の構成よりなるこの発明は次の特有の効果を奏する。
▲１▼風防部材はケースに外嵌されるので、従来技術における窓部が不要となり、又、厚みにも制限がないことも相まってデザイン上の自由度が高いライターケースが実現される。
▲２▼風防部材はケースに外嵌されるので、ケース内にライターと共に挿入した従来技術に比し厚みに制限がなく、素材として金属の他にプラスチックが使用可能となり、又、頂部箇所に断熱部材を設けることも可能となり使用者の火傷の危険が無くなる。
▲３▼風防部材はケースに外嵌されるので、加工及び組み立て上の精度はケースとの関係だけを考えればよく、ケース内に挿入されるライターが不確定要素として存在した従来技術に比し、風防部材が常に円滑に上下動するライターケースが実現される。
【図面の簡単な説明】
【図１】ライターケースの分解斜視図。
【図２】ライターケースにライターを挿入する状態を示す側面図。
【図３】ライターケースの使用状態の平面図。
【図４】ライターケースの使用状態の側面図。
【図５】ライターケースの使用状態の側面図。
【符号の説明】
Ｌ        ライター
Ｌ１      着火操作部
Ｌ２      ノズル
１        ケース
１１      風防部材
【図１】
0003601670.tif 000002
【図２】
0003601670.tif 000003
【図３】
0003601670.tif 000004
【図４】
0003601670.tif 000005
【図５】
0003601670.tif 000006